【手続補正書】
【提出日】平成16年4月5日(2004.4.5)
【手続補正１】
【補正対象書類名】特許請求の範囲
【補正対象項目名】全文
【補正方法】変更
【補正の内容】
【特許請求の範囲】
【請求項１】
表示領域内に少なくとも１つの画像を配置する方法であって、
少なくとも１つの事前定義された構図ルールにしたがって前記少なくとも１つの画像を分析するステップと、
前記分析にしたがって形状が前記画像に最良適合する画像境界を選択するステップと、
前記画像境界を前記少なくとも１つの画像に適用するステップであって、それにより処理済み画像を生成する、適用するステップと、
前記少なくとも１つの処理済み画像を前記表示領域内に配置するステップと、
を含み、前記画像を分析するステップは、構図的に意味のある１つまたは複数の領域を識別すること、および少なくとも１つの構図のルールを適用することであって、それにより前記処理済み画像内に包含すべき領域を識別する、適用することを含む、表示領域内に少なくとも１つの画像を配置する方法。
【請求項２】
前記画像を分析する前記ステップは、構図的に意味のある１つまたは複数の領域を識別すること、および少なくとも１つの構図のルールを適用することであって、それにより前記処理済み画像内から排除すべき領域を識別する、適用することを含む、請求項１に記載の表示領域内に少なくとも１つの画像を配置する方法。
【請求項３】
前記少なくとも１つの構図ルールは複数のルールからなるセットから選択される、請求項２に記載の表示領域内に少なくとも１つの画像を配置する方法。
【請求項４】
前記少なくとも１つの構図ルールは前記識別された特徴のうちの１つまたは複数に対するその関連性に基づいて選択される、請求項３に記載の表示領域内に少なくとも１つの画像を配置する方法。
【請求項５】
前記少なくとも１つの構図ルールは前記識別された特徴のうちの１つまたは複数に対するその関連性に基づいて、複数の構図ルールからなるセットから選択される、請求項２に記載の表示領域内に少なくとも１つの画像を配置する方法。
【請求項６】
前記画像を分析する前記ステップは、前記処理済み画像から排除すべき構図的に意味のある１つまたは複数の領域を識別することを含む、請求項２に記載の表示領域内に少なくとも１つの画像を配置する方法。
【請求項７】
前記画像と比較し、包含すべき前記領域を包含し排除すべき前記領域を排除する前記画像境界の形状は、ユーザに対して許容可能な解として提示される、請求項６に記載の表示領域内に少なくとも１つの画像を配置する方法。
【請求項８】
包含されるべき前記特徴を最適に包含し排除すべき前記特徴を最適に排除する前記境界形状は、前記ユーザに対して前記最良適合として提示される、請求項７に記載の表示領域内に少なくとも１つの画像を配置する方法。
【請求項９】
画像境界の前記形状の１つまたは複数のパラメータを、前記最良適合を最適化するように調整する、請求項１に記載の表示領域内に少なくとも１つの画像を配置する方法。
【請求項１０】
前記画像境界形状は複数の幾何学的形状から選択される、請求項１に記載の表示領域内に少なくとも１つの画像を配置する方法。
【請求項１１】
前記表示領域は画像境界の事前定義された配置を含む、請求項１に記載の表示領域内に少なくとも１つの画像を配置する方法。
【請求項１２】
前記少なくとも１つの画像境界の数、位置、サイズ、形状およびアスペクト比のうちの少なくとも１つを、ユーザによって定義する、請求項１に記載の表示領域内に少なくとも１つの画像を配置する方法。
【請求項１３】
前記表示領域のスタイルの少なくとも１つのパラメータをユーザによって制御する、請求項１に記載の表示領域内に少なくとも１つの画像を配置する方法。
【請求項１４】
複数の画像を配置し、前記表示領域内に配置される画像領域の数が画像の数に等しい、請求項１に記載の表示領域内に少なくとも１つの画像を配置する方法。
【請求項１５】
前記表示領域内に配置される画像領域の数は、包含される関心領域の選択された組合せの数に等しく、該選択は少なくとも１つの発見的ルールによって制御する、請求項２に記載の表示領域内に少なくとも１つの画像を配置する方法。
【請求項１６】
複数の画像境界を前記表示領域内に配置し、該画像境界の少なくともいくつかが該画像領域の他の１つの少なくとも一部にオーバーラップする、請求項１に記載の表示領域内に少なくとも１つの画像を配置する方法。
【請求項１７】
前記画像を分析する前記ステップは、構図的に意味のある少なくとも１つの領域を識別すること、および
ａ）前記処理済み画像内に包含すべき領域を識別する少なくとも１つの構図ルールと、
ｂ）前記処理済み画像から排除すべき領域を識別する少なくとも１つの構図ルールと
のうちの少なくとも１つを適用すること
を含む、請求項１６に記載の表示領域内に少なくとも１つの画像を配置する方法。
【請求項１８】
前記画像を分析する前記ステップはさらに、画像の「ドントケア」領域を識別することを含み、該「ドントケア」領域は前記画像境界から任意に排除してもよい領域を含む、請求項１７に記載の表示領域内に少なくとも１つの画像を配置する方法。
【請求項１９】
前記オーバーラップする部分は前記「ドントケア」領域を含む、請求項１８に記載の表示領域内に少なくとも１つの画像を配置する方法。
【請求項２０】
複数の画像を配置し、該画像の配置を、該画像の１つまたは複数のパラメータによって制御する、請求項１に記載の表示領域内に少なくとも１つの画像を配置する方法。
【請求項２１】
複数の画像を配置する方法であって、
各画像を分析して、該画像の各々の枠付けされたものに包含すべきその中の領域を識別し、該枠の外にあるべき領域を分析し、該分析に基づき、枠形状のライブラリから枠を選択する、複数の画像を配置する方法。
【請求項２２】
前記ライブラリ内の枠を、該枠と前記枠画像に包含される前記領域との整合を向上させるために、スケーリングし、回転させおよび伸長させることができる、請求項２１に記載の複数の画像を配置する方法。
【請求項２３】
前記画像を、少なくとも１つの所定構図ルールにしたがって自動的に分析することにより、前記画像内の構図的に意味のある領域を識別し、前記特徴を、
ａ）包含する特徴と、
ｂ）排除する特徴と、
ｃ）包含することが可能な特徴と
のうちの少なくとも１つにグループ化する、請求項２１に記載の複数の画像を配置する方法。
【請求項２４】
表示領域内に複数の画像を配置する方法であって、
少なくとも１つの構図ルールにしたがって前記複数の画像の各々を分析するステップであって、それにより該画像から排除する各画像の１つまたは複数の領域を識別する、分析するステップと、
前記表示領域内に前記分析された画像を配置するステップであって、それによりいくつかの画像が少なくとも他の１つの画像の一部とオーバーラップするようにし、それによって該オーバーラップ部分が、排除する前記領域の１つまたは複数を覆い隠す、配置するステップと
を含む、表示領域内に複数の画像を配置する方法。
【請求項２５】
前記オーバーラップ部分によって覆い隠される、各画像に対して排除すべき領域を、該画像からクロップする、請求項２４に記載の表示領域内に複数の画像を配置する方法。
【請求項２６】
別の画像によって全体的にまたは部分的にオーバーラップされてもよい「ドントケア」領域を識別することをさらに含む、請求項２４に記載の表示領域内に複数の画像を配置する方法。
【請求項２７】
画像を分析する前記ステップは、
構図的に意味のある１つまたは複数の特徴を識別すること、
複数の関心領域を識別すること、
前記関心領域のうちの１つまたは複数の少なくとも１つの組合せを選択すること、
前記少なくとも１つの構図ルールを、関心領域の前記選択された組合せ内に位置する前記構図的に意味のある特徴に対して適用することであって、それにより前記選択された組合せの「包含すべき」および「排除すべき」領域を識別する、適用すること、
を含む、請求項２４に記載の表示領域内に複数の画像を配置する方法。
【請求項２８】
前記画像の配置は該画像の１つまたは複数のパラメータによって制御される請求項２４に記載の表示領域内に複数の画像を配置する方法。
【請求項２９】
前記パラメータはユーザによって調整可能である、請求項２０に記載の表示領域内に複数の画像を配置する方法。
【請求項３０】
前記パラメータはユーザによって調整可能である、請求項２８に記載の表示領域内に複数の画像を配置する方法。
【請求項３１】
前記画像または各画像に対する枠色を、前記画像のうちの少なくとも１つの色分布の分析に基づいて動的に選択する、請求項２４に記載の表示領域内に複数の画像を配置する方法。
【請求項３２】
１つの画像のみを分析し、該画像から枠色を選択する、請求項３１に記載の表示領域内に複数の画像を配置する方法。
【請求項３３】
表示領域内に複数の画像を配置する画像処理システムであって、
前記画像を受取るように構成された入力と、
前記入力に連結された画像プロセッサと、
前記画像プロセッサに連結され前記表示領域内の画像の前記配置を出力するように構成された、出力と、
を具備し、
前記画像プロセッサは、
少なくとも１つの事前定義された構図ルールにしたがって前記少なくとも１つの画像を分析し、
前記分析にしたがって形状が前記画像に最良適合する画像境界を選択し、
前記少なくとも１つの画像に対して該画像境界を適用することにより処理済み画像を生成し、
前記表示領域内に前記少なくとも１つの処理済み画像を配置する
ように構成され、なお前記画像プロセッサは、構図的に意味のある１つまたは複数の領域を識別し、少なくとも１つの構図ルールを適用して前記処理済み画像内に包含すべき領域を識別するように構成される、画像処理システム。
【請求項３４】
前記画像プロセッサは、構図的に意味のある１つまたは複数の領域を識別し、少なくとも１つの構図ルールを適用して前記処理済み画像から排除すべき領域を識別するように構成される、請求項３３に記載の画像処理システム。
【請求項３５】
表示領域内に複数の画像を配置するように適合されたデータプロセッサを備える装置であって、
前記データプロセッサは、
前記画像を分析して、該画像の各々の枠付けされたものに包含すべきその中の領域を識別し、前記枠の外にあるべき領域を分析し、該分析に基づいて、枠形状のライブラリから適当な枠を選択し、該枠を適用し、該画像を出力装置に出力するように構成される、装置。
【請求項３６】
前記データプロセッサは、複数の構図のルールから選択された少なくとも１つの所定ルールにしたがって前記画像を分析するように構成される、請求項３５に記載の装置。
【請求項３７】
前記枠形状をスケーリングし、回転させ歪ませるように構成された請求項３６に記載の装置。
【請求項３８】
表示領域内に複数の画像を配置する画像処理システムであって、
少なくとも１つの構図のルールにしたがって前記複数の画像の各々を分析することにより、前記画像から排除すべき各画像の１つまたは複数の領域を識別し、前記分析された画像を、いくつかの画像が少なくとも１つの他の画像の一部にオーバーラップするように表示領域内に配置し、それにより前記オーバーラップ部分が、前記排除すべき領域のうちの１つまたは複数を覆い隠すように構成されるデータプロセッサを備える、画像処理システム。
【請求項３９】
画像取込装置と協働して、前記入力は、前記画像取込装置から取込画像を受取るように構成される、請求項３８に記載の画像処理システム。
【請求項４０】
画像取込装置と協働して、前記入力は、前記画像取込装置から取込画像を受取るように構成される、請求項３３に記載の画像処理システム。
【請求項４１】
前記出力は画像記憶装置に連結される、請求項３３に記載の画像処理システム。
【請求項４２】
前記出力はプリンタに連結されることにより前記画像配置を印刷する、請求項３３に記載の画像処理システム。
【請求項４３】
データプロセッサに対し請求項１に記載の方法を実行させるコンピュータ読取可能命令を含むコンピュータプログラム製品。
【請求項４４】
プログラマブルデータプロセッサに対し請求項２０に記載の方法を実行させるコンピュータ読取可能命令を含むコンピュータプログラム製品。
【請求項４５】
プログラマブルデータプロセッサに対し請求項２３に記載の方法を実行させるコンピュータ読取可能命令を含むコンピュータプログラム製品。